(57)【要約】  同じ１つの鍵を用いて、複数の保管庫の収納ボックスを開閉することのできる保管庫を提供するために、複数の収納ボックス（６０Ａ）を備える鍵付保管庫（６０）において、前記収納ボックス（６０Ａ）の内部に個別にアクセスするアクセス権を記憶するＩＣタグ（５）を有する電子キー（１９Ａ）と、前記ＩＣタグ（５）からデータを読み取るデータ読取手段（７５，７５）と、前記データ読取手段（７５，７５）が前記ＩＣタグ（５）から読み取った前記アクセス権に基づいて権限認証し、権限が正当であると判断した場合に、前記アクセス権に対応する前記収納ボックス（６０Ａ）の開閉を許可する開閉許可手段（７０）と、を有する。
2008069210.tif 000002
【特許請求の範囲】
【請求項１】
複数の収納ボックスを備える鍵付保管庫において、
前記収納ボックスの内部に個別にアクセスするアクセス権を記憶するＩＣタグを有する電子キーと、
前記ＩＣタグからデータを読み取るデータ読取手段と、
前記データ読取手段が前記ＩＣタグから読み取った前記アクセス権に基づいて権限認証し、権限が正当であると判断した場合に、前記アクセス権に対応する前記収納ボックスの開閉を許可する開閉許可手段と、
を有することを特徴とする鍵付保管庫。
【請求項２】
請求項１に記載する鍵付保管庫において、
前記開閉許可手段は、
前記複数の収納ボックスに各々設けられ、前記収納ボックスを施錠する施錠位置又は前記収納ボックスを解錠する解錠位置に配置されるロック手段と、
前記ロック手段を前記施錠位置と前記解錠位置に移動させる移動手段と、
前記移動手段が前記施錠位置に配置した前記ロック手段を移動させることを制限するものであって、前記データ読取手段が前記ＩＣタグから読み取った前記アクセス権に基づいて、権限が正当であると判断した場合に限り、前記移動手段が前記アクセス権に対応する前記ロック手段を前記施錠位置から前記解錠位置へ移動させることを許可する解錠許可手段と、を有する
ことを特徴とする鍵付保管庫。
【請求項３】
請求項２に記載する鍵付保管庫において、
前記移動手段は、
前記収納ボックスの開口部に各々設けられた遮蔽板に取り付けられる外筒と、前記外筒内に回転可能に配置され、前記データ読取手段を設置した鍵穴を有する内筒を有し、前記内筒を前記ロック手段に連結した錠前であり、
前記解錠許可手段は、前記内筒の回転を阻止する回転阻止手段である
ことを特徴とする鍵付保管庫。
【請求項４】
請求項３に記載する鍵付保管庫において、
前記回転阻止手段は、前記遮蔽板に固定された前記外筒に回転可能に配置される前記内筒の回転を阻止するものであり、
前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記内筒の回転阻止状態を解除させる錠前制御手段を有する
ことを特徴とする鍵付保管庫。
【請求項５】
請求項３に記載する鍵付保管庫において、
前記外筒は、前記遮蔽板に回転可能に保持され、前記鍵穴に挿入した前記電子キーに嵌合する嵌合溝を有し、
前記回転阻止手段は、前記外筒の回転を阻止することにより、前記内筒の回転を阻止するものであり、
前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記外筒の回転阻止状態を解除させ、前記外筒が前記嵌合溝に嵌合する前記電子キーを介して前記内筒と一体的に回転することを可能にする錠前制御手段を有する
ことを特徴とする鍵付保管庫。
【請求項６】
請求項２に記載する鍵付保管庫において、
前記回転阻止手段は、前記施錠位置に配置した前記ロック手段を係止するものであって、
前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記ロック手段の係止状態を解除させる錠前制御手段を有する
ことを特徴とする鍵付保管庫。
【請求項７】
請求項５又は請求項６に記載する鍵付保管庫において、
前記鍵穴に適合し、前記内筒を前記外筒に対して回転可能にする非常鍵を有する
ことを特徴とする鍵付保管庫。
【請求項８】
請求項３乃至請求項７の何れか１つに記載する鍵付保管庫において、
前記回転阻止手段は、ソレノイド又はモータである
ことを特徴とする鍵付保管庫。
【請求項９】
請求項１に記載する鍵付保管庫において、
前記各収納ボックスに各々設けられ、前記収納ボックスを開閉する開閉レバーを有し、
前記開閉許可手段は、
前記開閉レバーを覆う被覆位置と前記開閉レバーを開閉する開放位置に移動可能に配置されるカバーと、
前記被覆位置に配置した前記カバーの移動を制限するものであって、前記データ読取手段が前記ＩＣタグから読み取った前記アクセス権に基づいて、権限が正当であると判断した場合に限り、前記カバーが前記被覆位置から前記開放位置へ移動することを可能にするカバー開閉制御手段と、を有する
ことを特徴とする鍵付保管庫。
【請求項１０】
請求項９に記載する鍵付保管庫において、
前記収納ボックスの開口部を遮蔽し前記開閉レバーを取り付けられる遮蔽板に取り付けられる外筒と、前記外筒内に回転可能に配置され、前記データ読取手段を設置した鍵穴を有する内筒とを有する錠前と、
前記錠前に適合し、前記カバーを移動可能にする非常鍵と、
を有することを特徴とする鍵付保管庫。
【請求項１１】
請求項１乃至請求項１０の何れか１つに記載する鍵付保管庫において、
前記ＩＣタグが、接触式ＩＣタグであり、
前記電子キーは、前記鍵穴に挿入される挿入部と、前記挿入部の一端に設けられた把持部とを備え、前記接触式ＩＣタグの接触端子が前記挿入部に設けられている
ことを特徴とする鍵付保管庫。
【請求項１２】
請求項１１に記載する鍵付保管庫において、
前記電子キーの前記把持部内に前記接触式ＩＣタグが内蔵され、前記挿入部に前記接触式ＩＣタグの接触端子が配置されている
ことを特徴とする鍵付保管庫。
【請求項１３】
請求項４に記載する鍵付保管庫において、
前記内筒が奥側端部に回転板が取り付けられており、
前記回転阻止手段が、モータ又はソレノイドであって、
前記モータ又は前記ソレノイドが、前記内筒と軸心同士が平行に取り付けられ、前記モータのモータロッド又は前記ソレノイドのソレノイドロッドが前記回転板の回転を阻止する
ことを特徴とする鍵付保管庫。
【請求項１４】
請求項３乃至請求項５、請求項７、請求項８、請求項１０乃至請求項１３の何れか１つに記載する鍵付保管庫において、
前記電子キーが、前記遮蔽板が前記開口部を遮蔽しているときにのみ、前記錠前から着脱可能である
ことを特徴とする鍵付保管庫。
【請求項１５】
請求項４乃至請求項８、請求項１１乃至請求項１４の何れか１つに記載する鍵付保管庫において、
前記錠前制御手段が、前記権限認証を行うためのデータを記憶している
ことを特徴とする鍵付保管庫。
【請求項１６】
請求項９乃至請求項１４の何れか１つに記載する鍵付保管庫において、
前記カバー開閉制御手段が、前記権限認証を行うためのデータを記憶している
ことを特徴とする鍵付保管庫。
【発明の詳細な説明】
【技術分野】
【０００１】
この発明は、オフィスで使用される鍵付保管庫に関し、更に詳細には、同じ１つの鍵を用いて、複数の保管庫の収納ボックスを開閉することのできる保管庫に関するものである。
【背景技術】
【０００２】
従来、オフィスにおいては、保管庫の収納ボックス毎に開閉可能な鍵を、鍵管理ボックスに収納し、使用者がＩＤカード等のＩＤ認証により、鍵管理ボックスの扉を開閉して、利用したい収納ボックス用の鍵を借り出して利用している。鍵管理ボックスは、ＩＤカードにより、使用者をＩＤ認証し、その人がその収納ボックスにアクセスする権利を有している場合にのみ、扉を開いている。
しかし、ＩＤカードと、鍵を別々に所持することは煩雑であり、また、多数の収納ボックス内の書類を調べようとすると、たくさんの鍵を持って移動しなければならず、作業性が悪かった。その問題を解決するために、同じ１つの鍵を用いて、複数の収納ボックスを開閉できるシステムが望まれていた。【０００３】
同じ１つの鍵を用いて、複数の保管庫の収納ボックスを開閉できるシステムとしては、マスターキーが知られている。マスターキーは、全ての保管庫の開閉が可能であるが、鍵を紛失した場合等の非常時用のものであり、マスターキーを日常的に使用しては、各別に異なる錠前を取り付けて管理している意味がなくなってしまう。また、収納ボックス毎にアクセスする権利を人毎に設定することはできない。
一方、交換容易なシリンダー錠前を用い、収納ボックス毎にシリンダー錠前を交換することにより、一つの鍵で開閉できる収納ボックスを設定可能とするものが市販されている。これによれば、同じ１つの鍵で開閉可能な収納ボックスを任意に設定し変更することができる。【０００４】
ＩＣタグと鍵とを組み合わせた技術として、特許文献１に記載されるものがある。特許文献１には、接触式ＩＣタグを鍵の把持部に内蔵して、把持部の一部に露出した鍵側データ端子と接触する扉側データ端子により、接触式ＩＣタグのデータを読み出し、そのデータがＩＤ登録されていない場合に、ソレノイドにより、鍵の回転を阻止することが開示されている。
鍵は通常の鍵であり、特定の錠前のみ開閉可能な形状となっている。効果としては、鍵の形状が同じ合鍵を作られたとしても、接触式ＩＣタグが内蔵されていなければ、鍵を解除することができないことが記載されている。また、特許文献１には、ＩＣタグのみの認証により、電気錠を開錠することが記載されている。【０００５】
【特許文献１】特開平０９−０５９１４８号公報
【発明の開示】
【発明が解決しようとする課題】
【０００６】
しかしながら、従来市販されている交換容易なシリンダー錠前には、次のような問題があった。
一人の人が利用するシステムならば良いが、通常の会社のオフィスのように、各々異なる権能を有する複数の人が同じ収納ボックスを利用するシステムにおいては、異なる人に、各々個別に利用可能な収納ボックス用の鍵を所持させることが、困難であった。すなわち例えば、Ａ，Ｂ，Ｃという人が各々異なる収納ボックスグループにアクセスする権利を有している場合に、各々の人に、その人がアクセス可能な収納ボックスを開閉できる鍵を所持させることはできなかった。【０００７】
また、特許文献１に記載のシステムには、次のような問題があった。
すなわち、接触式ＩＣタグが確認のためにのみ使用されており、実際に鍵を開閉するのは従来通りの、鍵の挿入部の形状が錠前に合致することが条件であるため、オフィスで、複数の保管庫の複数の収納ボックス内の書類を調べようとすると、たくさんの鍵を持って、保管庫間を移動する必要がある。たくさんの鍵を持って移動することも不便である上、その都度所定の鍵を探さなければならず、きわめて非能率的であった。また、ＩＣタグの認識により、電気錠を開錠するのは、単純にカードに埋め込まれたＩＣタグを読み取って、電気錠を開錠するのと何ら差異がなく、鍵とＩＣタグを組み合わせる意味がない。言い換えれば、電気錠を必要とするため、コストアップとなる問題がある。
また、特許文献１の技術では、接触式ＩＣタグが鍵の把持部に露出しているので、読取装置を錠前の外に配置せざるえないため、機材の衝突やいたずら等により損傷する恐れがある。【０００８】
この発明は上記事情に鑑みてなされたものであって、その目的は、同じ１つの鍵を用いて、複数の保管庫の収納ボックスを開閉することのできる保管庫を提供することにある。
【課題を解決するための手段】
【０００９】
上記目的を達成するために、本発明の鍵付保管庫は、次の構成を有している。
（１）複数の収納ボックスを備える鍵付保管庫において、前記収納ボックスの内部に個別にアクセスするアクセス権を記憶するＩＣタグを有する電子キーと、前記ＩＣタグからデータを読み取るデータ読取手段と、前記データ読取手段が前記ＩＣタグから読み取った前記アクセス権に基づいて権限認証し、権限が正当であると判断した場合に、前記アクセス権に対応する前記収納ボックスの開閉を許可する開閉許可手段と、を有する。【００１０】
（２）（１）に記載の発明において、前記開閉許可手段は、前記複数の収納ボックスに各々設けられ、前記収納ボックスを施錠する施錠位置又は前記収納ボックスを解錠する解錠位置に配置されるロック手段と、前記ロック手段を前記施錠位置と前記解錠位置に移動させる移動手段と、前記移動手段が前記施錠位置に配置した前記ロック手段を移動させることを制限するものであって、前記データ読取手段が前記ＩＣタグから読み取った前記アクセス権に基づいて、権限が正当であると判断した場合に限り、前記移動手段が前記アクセス権に対応する前記ロック手段を前記施錠位置から前記解錠位置へ移動させることを許可する解錠許可手段と、を有する。【００１１】
（３）（２）に記載の発明において、前記移動手段は、前記収納ボックスの開口部に各々設けられた遮蔽板に取り付けられる外筒と、前記外筒内に回転可能に配置され、前記データ読取手段を設置した鍵穴を有する内筒を有し、前記内筒を前記ロック手段に連結した錠前であり、前記解錠許可手段は、前記内筒の回転を阻止する回転阻止手段である。【００１２】
（４）（３）に記載の発明において、前記回転阻止手段は、前記遮蔽板に固定された前記外筒に回転可能に配置される前記内筒の回転を阻止するものであり、前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記内筒の回転阻止状態を解除させる錠前制御手段を有する。【００１３】
（５）（３）に記載の発明において、前記外筒は、前記遮蔽板に回転可能に保持され、前記鍵穴に挿入した前記電子キーに嵌合する嵌合溝を有し、前記回転阻止手段は、前記外筒の回転を阻止することにより、前記内筒の回転を阻止するものであり、前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記外筒の回転阻止状態を解除させ、前記外筒が前記嵌合溝に嵌合する前記電子キーを介して前記内筒と一体的に回転することを可能にする錠前制御手段を有する。【００１４】
（６）（２）に記載の発明において、前記回転阻止手段は、前記施錠位置に配置した前記ロック手段を係止するものであって、前記各データ読取手段と前記各回転阻止手段に接続され、前記データ読取手段が前記ＩＣタグから読み取った前記アクセス権に基づいて、権限が正当であると判断した場合に、前記アクセス権に対応する前記回転阻止手段に前記ロック手段の係止状態を解除させる錠前制御手段を有する。【００１５】
（７）（５）又は（６）に記載の発明において、前記鍵穴に適合し、前記内筒を前記外筒に対して回転可能にする非常鍵を有する。【００１６】
（８）（２）乃至（７）の何れか１つに記載の発明において、前記回転阻止手段は、ソレノイド又はモータである。【００１７】
（９）（１）に記載の発明において、前記各収納ボックスに各々設けられ、前記収納ボックスを開閉する開閉レバーを有し、前記開閉許可手段は、前記開閉レバーを覆う被覆位置と前記開閉レバーを開閉する開放位置に移動可能に配置されるカバーと、前記被覆位置に配置した前記カバーの移動を制限するものであって、前記データ読取手段が前記ＩＣタグから読み取った前記アクセス権に基づいて、権限が正当であると判断した場合に限り、前記カバーが前記被覆位置から前記開放位置へ移動することを可能にするカバー開閉制御手段と、を有する。【００１８】
（１０）（９）に記載の発明において、前記収納ボックスの開口部を遮蔽し前記開閉レバーを取り付けられる遮蔽板に取り付けられる外筒と、前記外筒内に回転可能に配置され、前記データ読取手段を設置した鍵穴を有する内筒とを有する錠前と、前記錠前に適合し、前記カバーを移動可能にする非常鍵と、を有する。【００１９】
（１１）（１）乃至（１０）の何れか１つに記載の発明において、前記ＩＣタグが、接触式ＩＣタグであり、前記電子キーは、前記鍵穴に挿入される挿入部と、前記挿入部の一端に設けられた把持部とを備え、前記接触式ＩＣタグの接触端子が前記挿入部に設けられている。【００２０】
（１２）（１１）に記載の発明において、前記電子キーの前記把持部内に前記接触式ＩＣタグが内蔵され、前記挿入部に前記接触式ＩＣタグの接触端子が配置されている。【００２１】
（１３）（４）に記載の発明において、前記内筒が奥側端部に回転板が取り付けられており、前記回転阻止手段がモータ又はソレノイドであって、前記モータ又は前記ソレノイドが、前記内筒と軸心同士が平行に取り付けられ、前記モータのモータロッド又は前記ソレノイドのソレノイドロッドが前記回転板の回転を阻止する。【００２２】
（１４）（３）乃至（５）、（７）、（８）、（１０）乃至（１３）の何れか１つに記載の発明において、前記電子キーが、前記遮蔽板が前記開口部を遮蔽しているときにのみ、前記錠前から着脱可能である。【００２３】
（１５）（４）乃至（８）、（１１）乃至（１４）の何れか１つに記載の発明において、前記錠前制御手段が、前記権限認証を行うためのデータを記憶している。【００２４】
（１６）（４）乃至（８）、（１１）乃至（１５）の何れか１つに記載の発明において、前記錠前制御手段が、ネットワークを介して、別に設置された認証手段に記憶されたデータに基づいて、前記権限認証を行う。【００２５】
（１７）（９）乃至（１４）の何れか１つに記載の発明において、前記カバー開閉制御手段が、前記権限認証を行うためのデータを記憶している。【００２６】
（１８）（９）乃至（１４）、（１７）の何れか１つに記載の発明において、前記錠前制御手段が、ネットワークを介して、別に設置された認証手段に記憶されたデータに基づいて、前記権限認証を行う。【００２７】
（１９）（１）乃至（１８）の何れか１つに記載の発明において、前記各収納ボックスの開閉の履歴を記憶する記憶手段を有する。
【発明の効果】
【００２８】
次に、上記構成を有する鍵付保管庫の作用及び効果について説明する。
データ読取手段が電子キーのＩＣタグから読み取ったアクセス権に基づいて権限認証し、権限が正当であると判断した場合に、当該アクセス権に対応する収納ボックスの開閉を許可する。【００２９】
各収納ボックスは、ロック手段を施錠位置に配置して施錠されている。データ読取手段が電子キーから読み取ったアクセス権に基づいて権限認証し、権限が正当であると判断すると、アクセス権に対応するロック手段を施錠位置から解錠位置に移動させることを許可する。これにより、ロック手段を施錠位置から解錠位置に移動させて収納ボックスを開閉することが可能になる。【００３０】
この場合、各収納ボックスに錠前を設け、錠前の外筒に回転可能に配置された内筒にロック手段を連結し、内筒の回転によりロック手段を施錠位置と解錠位置に移動できるようにする。これにより、内筒の回転を阻止すれば、ロック手段が施錠位置から移動することを制限し、一方、内筒の回転阻止状態を解除すれば、ロック手段が施錠位置から解錠位置に移動できるようになる。【００３１】
このとき、外筒が収納ボックスの開口部を遮蔽する遮蔽板に固定されていれば、回転阻止手段が直接内筒の回転を阻止するようにする。そして、各回転阻止手段と各データ読取手段を錠前制御手段に接続し、データ読取手段が電子キーから読み取ったアクセス権に基づいて権限が正当であると判断した場合に、該アクセス権に対応する内筒の回転阻止状態を解除する。これにより、内筒を外筒に対して回転させ、ロック手段を施錠位置から解錠位置に移動させれば、収納ボックスを開閉できるようになる。【００３２】
また、外筒が収納ボックスの開口部を遮蔽する遮蔽板に回転可能に保持されていれば、回転阻止手段が外筒の回転を阻止するようにする。錠前は、適合する鍵を内筒の鍵穴に挿入しない限り、内筒が外筒に対して回転しない。そのため、外筒の回転が阻止される間は、内筒を回転させることができない。この場合、データ読取手段が電子キーから読み取ったアクセス権に基づいて権限が正当であると判断すると、アクセス権に対応する回転阻止手段が外筒の回転阻止状態を解除するので、外筒の嵌合溝に嵌合させるように鍵穴に差し込んだ電子キーを回転させれば、内筒を外筒と一体的に回転させることができる。これにより、ロック手段を施錠位置から解錠位置に移動させ、収納ボックスを開閉できるようになる。【００３３】
一方、施錠位置に配置したロック手段を回転阻止手段で直接係止する場合には、データ読取手段が電子キーから読み取ったアクセス権に基づいて権限が正当であると判断したときに、アクセス権に対応する回転阻止手段にロック手段の係止状態を解除させる。これにより、ロック手段を施錠位置から解錠位置に自動的に移動させ、収納ボックスを開閉できるようになる。【００３４】
これに対して、収納ボックスを開閉レバーで開閉させる場合には、開閉レバーをカバーで覆って開閉レバーの操作を制限し、収納ボックスを開閉できないようにする。そして、データ読取手段が電子キーから読み取ったアクセス権に基づいて権限が正当であると判断したときに、開閉レバーを覆う被覆位置から開閉レバーを開放する開放位置にカバーを移動できるようにする。これにより、カバーを開放位置に移動させて開閉レバーを操作し、収納ボックスを開閉できるようになる。【００３５】
これにより、オフィス内の全ての保管庫に本発明の保管庫を採用すれば、同じ１つの電子キーを所持しているだけで、オフィス内の全ての保管庫の全ての収納ボックスに対して、その人が正当な権限を有していれば、収納ボックスを開閉して、収納ボックス内の書類にアクセスすることができる。複数の人が利用しても、電子キーに内蔵されたＩＣタグにより、個人の認証を行い、その認証したデータに基づいて、その収納ボックスへのアクセス権を確認して、収納ボックスの開閉可能状態を制御しているため、アクセス権のない人による開閉を防止しつつ、利用者は、１つの電子キーで必要とする多数の収納ボックスを開閉することができる。【００３６】
また、錠前の鍵穴に差し込んだ電子キーを回転させて内筒を回転させ、解錠を人の力で行うため、電気錠を必要とせずに、コストを低く抑えることができる。そして、電子キーの挿入部の形状は、全ての電子キーが同じ直方体形状をしていれば、全ての電子キーが全ての錠前に合致するため、どの電子キーでも全ての錠前を回転させることができる。ただし、全ての錠前には、電子キーが装着される内筒の回転を阻止する回転阻止手段が付設されているので、回転阻止手段が解除されているときにのみ、収納ボックスを開くことができる。【００３７】
電子キーの把持部に内蔵された接触式ＩＣタグの情報が、電子キーの挿入部を鍵穴に挿入したときに接触端子に接触するデータ読取手段により読み取られ、データ読取手段が読み取ったデータに基づいてデータ読取手段が設けられた収納ボックスの権限認証を行い、権限が正当である判断したときに、制御手段が、データ読取手段に対応する回転阻止手段に内筒の回転阻止状態を解除させ、或いは、カバーの移動を可能にさせる。【００３８】
電子キーの把持部内に接触式ＩＣタグが内蔵され、挿入部に接触式ＩＣタグの接触端子が配置されているので、接触式ＩＣタグの保護が図れると共に、データ読取手段を錠前の内部に設置することができるため、データ読取手段を外部から触ることができず、いたずらされることがない。【００３９】
また、収納ボックス毎に開閉の履歴を記憶する記憶手段を有するので、全てのアクセスを記録に残すことが可能であり、全ての保管庫の全ての収納ボックスに対して、開閉の履歴を残すことができる。【００４０】
また、錠前が、既存の錠前と交換可能であるので、既存の保管庫の錠前部分のみ交換すれば良いため、低いコストで本発明の鍵付保管庫を採用することができる。
また、回転阻止手段をモーター又はソレノイドで構成し、電子キーのアクセス権に基づいて権限が正当であると判断した場合に、電子信号によりモータ又はソレノイドを駆動して、ロック手段が施錠位置から解錠位置に移動することを許可するので、ロック手段のロックを簡単に解除することができる。
また、内筒が奥側端部に回転板が取り付けられており、回転阻止手段を構成するソレノイド又はモータが、内筒と軸心同士が平行に取り付けられ、ソレノイドロッド又はモータロッドが回転板の回転を阻止する構造を採用しているので、ソレノイド又はモータを内筒と平行に配置できるため、全体をコンパクトにすることができる。【００４１】
また、電子キーが、遮蔽板が開口部を遮蔽しているときにのみ、錠前から着脱可能であるので、電子キーの着脱を行うときには、必ず、扉等の遮蔽手段が閉じている。すなわち、扉が開いた状態で電子キーを抜くことができない。一方、電子キーの着脱の履歴を記憶しているので、長時間電子キーを入れたままにして、保管庫から離れた場合等、その責任者を特定することが可能である。尚、扉等の遮蔽手段を閉じたときに電子キーを抜く注意を喚起する警報手段を設け、遮蔽手段を閉じた後に電子キーを抜き忘れることを防止しても良い。【００４２】
また、錠前制御手段又はカバー開閉制御手段に権限認証を行うためのデータを記憶させることにより、鍵付保管庫をネットワークなどで上位装置に接続しなくても、権限認証を行うことが可能になるので、鍵付保管庫を上位装置に接続する配線工事の手間や時間などを省き、鍵付保管庫の設置コストを安価にできる。一方、ネットワークを介して錠前制御手段又はカバー開閉制御手段を別に設置された認証手段に接続し、その認証装置に記憶されたデータに基づいて権限認証するようにすれば、権限認証を行うためのデータの破損を防止できる。【００４３】
ところで、例えば停電等の非常時には、データ読取手段が電子キーからアクセス権を読み取れなくなり、電子キーを用いて収納ボックスを開閉できなくなることがある。この場合でも、適合する非常鍵を錠前の鍵穴に差し込めば、内筒を回転させてロック手段を施錠位置から解錠位置に移動させ、或いは、カバーを被覆位置から開放位置に移動させて、収納ボックスを開閉できるようになる。
【図面の簡単な説明】
【００４４】
【図１】本発明の第１実施形態に係り、錠前２０と電子キー１９の構成を示す分解斜視図である。
【図２】錠前２０と電子キー１９が離れた状態を示す斜視図である。
【図３】錠前２０に電子キー１９が挿入された状態を示す斜視図である。
【図４】鍵付保管庫の制御の構成を示すブロック図である。
【図５】鍵付保管庫の外観図である。
【図６】電子キー１９を保管するキー管理ボックスを示す斜視図である。
【図７】本発明の第２実施形態に係り、鍵付保管庫６０の一部拡大正面図である。
【図８】図７のＡ−Ａ断面図である。
【図９】図８のＢ−Ｂ断面図である。
【図１０】電子キー１９Ａの内部構造を示す図である。
【図１１】鍵付保管庫の制御の構成を示すブロック図である。
【図１２】本発明の第３実施形態に係り、鍵付保管庫９０の要部拡大断面図であって、カバー閉状態を示す。
【図１３】鍵付保管庫９０の要部拡大断面図であって、カバー開状態を示す。
【図１４】鍵付保管庫の制御の構成を示すブロック図である。
【図１５】本発明の第４実施形態に係り、鍵付保管庫１１５の一部拡大正面図である。
【図１６】鍵付保管庫の制御の構成を示すブロック図である。
【図１７】電子キー１９の別な構造を示す分解斜視図である。
【符号の説明】
【００４５】
５    接触式ＩＣタグ
８    内筒
９    データ読取基板
１２  錠前本体（外筒）
１４  ソレノイド
１７  回転板
１９  電子キー
２１  挿入部
２２  把持部
２０，７０，１００，１１０  錠前
４０  錠前制御手段
５１，５２，５３，６０，９０，１１５  鍵付保管庫
７１  内筒
７２，１０１，１１１  外筒
【発明を実施するための最良の形態】
【００４６】
本発明を具体化した実施形態を説明する。【００４７】
［第１実施形態］
＜保管庫の構成＞
以下、本発明の鍵付保管庫を具体化した第１実施形態につき図面を参照して詳細に説明する。図５に鍵付保管庫の外観図を示す。３つの保管庫５１，５２，５３が連続して設置されている。保管庫５１は、１つの観音開き式の収納ボックス５１Ａを備え、保管庫５２は、１つの観音開き式の収納ボックス５２Ａ、３つの引き出し式収納ボックス５２Ｂ，５２Ｃ，５２Ｄを備えている。保管庫５３は、保管庫５２と同じ構成である。各々の収納ボックスに、錠前２０（「開閉許可手段」、「移動手段」の一例）が取り付けられている。保管庫５１の上面に、３つの保管庫の各収納ボックスを制御するための錠前制御手段４０が付設されている。【００４８】
＜電子キーの構成＞
図１に、鍵付保管庫に取り付けられる錠前２０、及び電子キー１９の構造を分解斜視図で示す。図２に、電子キー１９と錠前２０とが分離した状態を示す。図３に電子キー１９が、錠前２０に挿入されている状態を示す。
錠前２０と電子キー１９は、電子キー１９の接触式ＩＣタグ５に記憶させたアクセス権に基づいて、収納ボックスの解錠を許可する電子キーシステムを採用する。電子キー１９（「電子キー」の一例）は、２枚の樹脂製の鍵基板１，２の間に、接触式ＩＣタグ５、及び一対の端子板３，４（「接触端子」の一例）が挟み込まれて構成される。接触式ＩＣタグ５は、市販のもので、接触式ＩＣタグ５の各々が独自の数値列を記憶している。その記憶されている数値を電子キーを使用した時点で、読み出して制御側が記憶しており、その記憶している数値列を照合することにより、電子キー１９を各別に特定することができる。なお、ここで、「電子キーを使用して制御側に登録する」とは、錠前２０に電子キーを差し込んで錠前制御手段４０やパソコン４４に当該電子キーを登録させる場合だけでなく、通信手段を用いて接触式ＩＣタグ５の数値列を読み取って電子キーを制御側に記憶させるなど、他の方法で電子キーを登録させる場合を含む。接触式ＩＣタグ５の裏面には２つの接点が露出している。その２つの接点には、一対の端子板３，４の一端に形成された接触部３ｂ，４ｂが板バネのバネ力により接触している。
鍵基板１には、把持部に接触式ＩＣタグ５を収納するための凹部１ａが形成されている。また、端子板３，４を各々収納するための溝１ｂ，１ｃが形成されている。溝１ｂ，１ｃの挿入部側の端部には、外部に露出する端子板３，４の接点部３ａ，４ａを裏側から支持するための凸部１ｄ，１ｅが形成されている。【００４９】
端子板３，４が、溝１ｂ，１ｃに装着されることにより、端子板３，４は、各々接触しない状態で装着される。そして、鍵基板２を被せて２本のネジ７で鍵基板１，２を密着固定する。これにより、端子板３，４の接点部３ａ，４ａは、接点窓２ｂ，２ｃから外部に露出した状態となる。このとき、接点部３ａ，４ａは、裏側を凸部１ｄ，１ｅにより支持されている。
窓２ａから接触式ＩＣタグ５を装着し、カバー６をネジ７で固定する。これにより、接触式ＩＣタグ５の２つの接点が、端子板３ａ，４ａに各々接続し、電子キー１９の挿入部２１の一面に露出する。完成した電子キー１９は、把持部２２と、直方体形状の挿入部２１とから構成されている。
鍵基板１，２には、同じ箇所に切り欠き１ｆ，２ｄが形成されている。【００５０】
＜錠前の構成＞
次に、錠前２０の構造を説明する。円筒形状の内筒８が錠前本体１２（「外筒」の一例）に形成された円筒形状の孔１２ａに回転可能に保持される。内筒８の端部には、つば８ａが形成されており、つば８ａが孔１２ａの外に出ており、内筒８が、錠前本体１２に対して、軸方向で位置決めされる。
内筒８の側面には、切欠部８ｄが形成されている。切欠部８ｄには、接触式ＩＣタグ５と接触することにより、接触式ＩＣタグ５の数値列データを読み取るデータ読取基板９が取り付けられている。また、内筒８の側面には、円弧状の溝８ｃが形成されている。内筒８のつば８ａとは反対側の端部にＣリング取付溝８ｂが形成されている。内筒８を錠前本体１２に装着し、Ｃリング取付溝８ｂにＣリング１６を装着することにより、内筒８が錠前本体１２に対して、回転可能に取り付けられる。内筒８のつば８ａと反対側の端面には、ネジ孔が形成されており、回転板１７がネジ１８により、内筒８と一体的に回転するように固定されている。回転板１７には、内筒８と位置決め固定するための四角穴１７ｂと、９０度の角度の違いで形成され、ソレノイド１４（「解錠許可手段」、「回転阻止手段」の一例）のロッド１５が挿入される回転防止溝１７ａ，１７ｃが形成されている。【００５１】
錠前本体１２には、保管庫の収納ボックスの扉等に取り付けるためのヒンジ１１が形成されている。また、ソレノイド１４を取り付けるための取付箱１３が形成されている。取付箱１３には、ロッド１５を備えるソレノイド１４が取り付けられる。また、錠前本体１２の側面に、円弧状の溝８ｃと対応する位置に、円弧状の溝１２ｃが形成されている。円弧状の溝１２ｃの近傍に凸部１２ｂが形成されている。凸部１２ｂにブラケット１０が取り付けられる。ブラケット１０には、抜き取り防止爪１０ａが形成されており、抜き取り防止爪１０ａが、円弧状の溝１２ｃと円弧状の溝８ｃとを進入することにより、電子キー１９に形成された切り欠き１ｆ，２ｄと係合可能である。【００５２】
＜鍵付保管庫の制御構成＞
次に、本発明の鍵付保管庫の制御の構成図を図４に示す。錠前制御手段４０は、制御手段であるＣＰＵ４１、制御プログラムを記憶するＲＯＭ４３、収納ボックスの開閉履歴(どの収納ボックスを、誰がいつ開けて、いつ閉めたか)、収納ボックス毎のアクセス権を有する接触式ＩＣタグのデータを記憶するＲＡＭを備えている。錠前制御手段４０は、パソコン４４とＬＡＮにより接続されている。パソコン４４は、収納ボックス毎のアクセス権を有する接触式ＩＣタグのデータを記憶し、また、データの修正等が行われる。アクセス権のデータが修正されたときは、パソコン４４は、ＲＡＭ４２のデータを修正する。
パソコンは、収納ボックスの開閉履歴を、ＲＡＭ４２と同様に記憶している。２箇所に記憶することにより、データの安全性を高めている。
錠前制御手段４０と、各収納ボックスに付設された全ての錠前２０のデータ読取基板９Ａ，９Ｂ，９Ｃ，・・・、ソレノイド１４Ａ，１４Ｂ，１４Ｃ，・・・は、配線により接続されている。
ここで、パソコン４４を使用できないとき、すなわち、例えば、スタンドアローンで安価なシステムを構成したいときには、錠前制御手段４０に、キースイッチ等の登録手段を備えさせ、アクセス権データ変更権限を所有する人が、キースイッチにより暗号番号を入力することにより、登録機能を有効とするモードに切り換えることが可能としても良い。登録機能を有効とするモードにおいて、接触式ＩＣタグ５をリードすると、そのデータをＲＡＭ４２に直接、登録記憶させることができるようにすると良い。【００５３】
＜鍵管理システムの構成＞
次に、電子キー１９を管理するシステムについて説明する。図６に鍵管理システムの構成図を示す。鍵管理ボックス３０は、開閉扉３１が付設され、通常扉開閉扉３１は閉じられている。鍵管理ボックス３０の開閉扉３１の内側には、１０個の錠前３６が配置され、電子キー１９を保持するキー孔が付設されている。鍵管理ボックスには、カードリーダー３２、テンキー操作部３３、液晶表示部３４が付設されている。鍵管理ボックス３０は、パソコン４４とＬＡＮにより接続されている。各錠前３６には、図示しないキー抜け阻止手段により、通常電子キー１９を抜くことができない状態となっている。【００５４】
＜作用説明＞
次に、第１実施形態に係る鍵付保管庫の作用について説明する。
使用者は、鍵管理ボックス３０の所に行き、所持しているＩＤカードをカードリーダー３２に読み取らせる。そして、テンキー操作部３３により、暗号番号を入力する。パソコン４４は、カードリーダー３２が読み取ったカードと対応する暗号番号を記憶しており、正しい暗号番号が入力されたときのみ、開閉扉３１を開放する。本実施例では、テンキー操作部３３を用いているが、静脈認証装置、指紋認証装置等により個人認証を行っても良い。個人認証を行うのは、他人のカードを使用して不正行為が行われるのを防止するためである。
パソコン４４は、開閉扉３１を開放すると同時に、個人認証した個人にアクセス権限のある電子キー１９が装着されている錠前３６の鍵抜け阻止手段を解除する。鍵抜け阻止手段は、電子キー１９の切欠部１ｆ，２ｄを利用して、図示しない係合爪をソレノイドで駆動させれば良い。使用者は、これにより、必要とする電子キー１９を抜き取ることができる。パソコン４４は、認証した個人、取り出された電子キー１９、取り出された時間を記憶する。
本鍵管理ボックス３０では、電子キー１９を直接、錠前３６に装着させているので、錠前３６に、接触式ＩＣタグ５を読み取る手段を取り付ければ、電子キー１９が正規の鍵であるか否かを確実に管理することができる。【００５５】
電子キー１９を所持した使用者は、使用したい収納ボックスのある鍵付保管庫の場所に行き、収納ボックスの錠前２０に電子キー１９を挿入する。電子キー１９が錠前２０に挿入されると、電子キー１９の挿入部の接点窓２ｂ，２ｃから露出している接点部３ａ，４ａが、データ読取基板９と接続する。データ読取基板９は、接点部３ａ，４ａに電流を流して、接触式ＩＣタグ５の内部に記憶されている数値列を読み出す。読み出した数値列は、錠前制御手段４０に送られる。錠前制御装置４０は、ＲＡＭ内に記憶する数値列と一致するものあるかサーチする。一致するものがあれば、その数値列の電子キー１９が、現在挿入されている錠前２０の取り付けられている収納ボックスにアクセスする権限があるか否か、ＲＡＭ４２に記憶されているデータに基づいて判断する。権限が正当であると判断したときは、ソレノイド１４に駆動信号を与えて、ソレノイド１４のロッド１５を引き込ませて、回転板１７の回転防止溝１７ａからロッド１５を解除する。これにより、使用者は、電子キー１９を回転させることができる。電子キー１９は挿入部が直方体形状であるので、偶力により容易に内筒８を錠前本体１２に対して、９０度回転させることができる。内筒８を９０度回転させることにより、通常のロック機構であるため図示しないロック機構が解除され、使用者は、扉を開いたり、引き出しを引っ張り出すことができる。そして、内部の書類にアクセスすることができる。【００５６】
一方、データに基づいて判断したときに、正当な権限がないと判断されたときは、ソレノイド１４は駆動されないので、回転板１７がロックされたままで、使用者は内筒８を回転させることはできず、扉を開いたり、引き出しを引き出すことができない。
電子キー１９を回転させた状態では、電子キー１９の切り欠き１ｆ，２ｄに抜き取り防止爪１０ａが係合しているため、使用者は内筒８から電子キー１９を引き抜くことができない。
使用者は、書類へのアクセスが終了すると、扉を閉じて電子キー１９を９０度回転させて元の状態に戻す。これにより、電子キー１９の切り欠き１ｆ，２ｄと抜き取り防止爪１０ａとの係合が解除されるため、使用者は電子キー１９を錠前２０から抜き取ることができる。電子キー１９が抜き取られると、データ読取基板９が、接触式ＩＣタグ５を検出できなくなるので、錠前制御手段４０は、電子キー１９が抜かれたと判断して、ソレノイド１４への通電を止めて、ロッド１５をバネ力で動かしてロッド１５を回転板１７の回転防止溝１７ａに係合させ、回転板１７が回転できない状態とする。【００５７】
本実施例では、抜き取り防止爪１０ａの形状により、電子キー１９の抜き取り可能箇所を原点のみとしているが、抜き取り防止爪１０ａの形状を変更して、電子キー１９の抜き取り箇所を原点(０度)と９０度の２箇所としてもよい。ただし、原点のみとしたほうが、扉が閉じた状態でしか電子キー１９を抜き取ることができないため、セキュリティのレベルを高めることができる。
特に、錠前制御手段４０は、電子キー１９が挿入された時間、電子キー１９の接触式ＩＣタグデータ、電子キー１９が抜き取られた時間を履歴として記憶しているが、扉が開いた状態が否かは検出していないため、電子キー１９が掛かった状態でのみ電子キー１９が抜けるようにしたほうが、セキュリティが高くなるのである。【００５８】
＜第１実施形態に係る鍵付保管庫の作用効果＞
以上詳細に説明したように、本実施例の鍵付保管庫によれば、複数の収納ボックスを備え、収納ボックスの開口部に各々設けられた遮蔽板に錠前２０が設けられたものであって、錠前２０が、遮蔽板に固定された錠前本体１２、錠前本体１２内に回転可能に配置され鍵穴を有する内筒８と、内筒８の回転を阻止するソレノイド１４と、接触式ＩＣタグ５を内蔵する電子キー１９が鍵穴に挿入されたときに接触式ＩＣタグ５のデータを読み取るデータ読取基板９とを備える鍵付保管庫において、電子キー１９は、鍵穴に挿入される挿入部と、挿入部の一端に設けられた把持部とを備え、挿入部の形状が直方体形状であり、内蔵する接触式ＩＣタグ５の接触端子３ａ，４ａが挿入部に設けられていること、保管庫に固定され、各データ読取基板９と各ソレノイド１４に接続され、データ読取基板９が、読み取ったデータに基づいてデータ読取基板９が設けられた収納ボックスの権限認証を行い、権限が正当である判断したときに、データ読取基板９に対応するソレノイド１４に内筒８の回転阻止状態を解除させる錠前制御手段４０を有するので、同じ１つの電子キー１９を所持しているだけで、オフィス内の全ての保管庫の全ての収納ボックスに対して、その人が正当な権限を有していれば、ソレノイド１４を解除して、中の書類にアクセスすることができる。複数の人が利用しても、電子キー１９に内蔵された接触式ＩＣタグ５により、個人の認証を行い、その認証したデータに基づいて、その収納ボックスへのアクセス権を確認して、収納ボックスの開閉可能状態を制御しているため、アクセス権のない人による開閉を防止しつつ、利用者は、１つの電子キー１９で必要とする多数の収納ボックスを開閉することができる。【００５９】
また、電子キー１９の把持部内に接触式ＩＣタグ５が内蔵され、挿入部に接触式ＩＣタグ５の接触端子３ａ，４ａが配置されているので、接触式ＩＣの保護が図れると共に、接触式ＩＣタグ５のデータ読取基板９を、錠前の内部に設置することができるため、データ読取基板９を外部から触ることができず、いたずらされることがない。
また、錠前制御手段４０が、収納ボックス毎に開閉の履歴を記憶する記憶手段４２を有するので、全てのアクセスを記録に残すことが可能であり、全ての保管庫の全ての収納ボックスに対して、開閉の履歴を残すことができる。
また、内筒８が奥側端部に回転板１７が取り付けられており、ソレノイド１４が、内筒８と軸心同士が平行に取り付けられたソレノイド１４であり、ソレノイドロッド１５が回転板１７の回転を阻止するので、ソレノイド１４を内筒８と平行に配置できるため、全体をコンパクトにすることができる。
また、電子キー１９が遮蔽板が開口部を遮蔽しているときにのみ、錠前本体１２から着脱可能であるので、長時間電子キー１９を入れたままにして、保管庫から離れた場合等、その責任者を特定することが可能であり、セキュリティレベルを高めることができる。特に、扉等の遮蔽手段を閉じたときに電子キーを抜く注意を喚起する警報手段を錠前制御手段４０に接続し、錠前制御手段４０が遮蔽手段を閉じてから数秒間経過してもデータ読み取り基板９によって電子キー１９のデータを読み取る場合に、警報手段からブザー音やメッセージなどの警報を発するようにすれば、遮蔽手段を閉じた後に電子キー１９を抜き忘れることを防止できる。【００６０】
［第２実施形態］
続いて、本発明の第２実施形態について図面を参照して説明する。図７は、本発明の第２実施形態に係り、鍵付保管庫６０の一部拡大正面図である。
第２実施形態の鍵付保管庫６０は、第１実施形態と同様電子キーシステムを採用するが、非常解錠機能を持つ錠前７０（「開閉許可手段」、「移動手段」の一例）を用いていること、及び、電子キー１９Ａの形状が、第１実施形態と相違する。よって、ここでは、第１実施形態と相違する点を中心に説明し、第１実施形態と共通する点は、図面に第１実施形態と同一符号を付し、適宜説明を省略する。【００６１】
＜鍵付保管庫の構成＞
鍵付保管庫６０は、図５に示す鍵付保管庫５２と同一形態をなし、例えば、収納ボックス６０Ａの開口部が観音開き式の開閉扉６１Ａ，６１Ｂ（「遮蔽板」の一例）で遮蔽されている。錠前７０は、鍵付保管庫６０の各収納ボックスに取り付けられ、接触式ＩＣタグ５を内蔵する電子キー１９Ａ又はメカニカルな非常鍵で、開閉扉６１Ａ，６１Ｂの施錠と解錠を行う。【００６２】
錠前７０は、開閉扉６１Ｂに取り付けられている。錠前７０は、ロックプレート６２（ロック手段」の一例）に連結され、ロックプレート６２を回転させる。ロックプレート６２は、開閉扉６１Ａに設けたストライク６３に係合して開閉扉６１Ａ，６１Ｂを施錠する施錠位置と、ストライク６３との係合状態を解除して開閉扉６１Ａ，６１Ｂを解錠する解錠位置とに配置される。開閉扉６１Ｂには、ＬＥＤ６４が錠前７０の上側に配置されている。【００６３】
＜電子キーの構成＞
図１０は、電子キー１９Ａの内部構造を示す図である。
電子キー１９Ａは、錠前７０に差し込まれる金属製の差込体８１に樹脂製のケース８２を被せ、挿入部２１と把持部２２とを構成している。差込体８１は、ケース８２に収容される枠部８１ａと、ケース８２から外部に突出するように枠部８１ａに延設された差込部８１ｂとを備える。【００６４】
枠部８１ａには、開口部８１ｃが形成されている。ＩＣタグ用基板８３に搭載された接触式ＩＣタグ５やＬＥＤ８４の配線等は、金属製の差込体８１に接触しないように、開口部８１ｃ内に配置されている。ＩＣタグ用基板８３には、接触式ＩＣタグ５と、接触式ＩＣタグ５の端子板３，４と、ＬＥＤ８４がはんだ付け等により取り付けられている。ＩＣタグ用基板８３は、ＬＥＤ８４を接触式ＩＣタグ５に並列に接続する電気回路構成を備え、接触式ＩＣタグ５の端子板３，４間を流れる電流を利用してＬＥＤ８４を点灯させるようになっている。ＩＣタグ用基板８３は、延設部８３ａ，８３ｂが所定間隔を空けて平行に延設されている。端子板３，４は、延設部８３ａ，８３ｂ上に取り付けられ、差込体８１と絶縁されている。尚、ケース８２は、ＩＣタグ用基板８３を位置決め保持するためのリブ８２ａが、内壁に立設されている。【００６５】
差込部８１ｂの両端面には、延設部８３ａ，８３ｂがケース８２の外部に露出した状態で密着固定されている。そして、差込部８１ｂの両端面には、延設部８３ａ，８３ｂに設置された端子板３，４も、ケース８２の外部に露出して配置されている。差込部８１ｂの縁部には、端子板３，４の端部に対応する位置に、ストッパ部８１ｄ，８１ｅが凸状に突設されている。【００６６】
＜錠前の具体的構成＞
図８は、図７のＡ−Ａ断面図である。図９は、図８のＢ−Ｂ断面図である。
錠前７０は、簡単に後付けできるようにユニット化されたシリンダ錠である。錠前７０は、開閉扉６１Ｂに形成された貫通孔６７に内筒７１と外筒７２とを嵌め込むように位置合わせされ、内筒７１と外筒７２を回転可能に保持する取付板７３をネジ７４で開閉扉６１Ｂの裏側に固定することにより、収納ボックス６０Ａに取り付けられている。【００６７】
錠前７０は、取付板７３を介して開閉扉６１Ｂに回転可能に取り付けられる外筒７２と、外筒７２内に回転可能に配置され鍵穴７１ａを有する内筒７１とを備える。錠前７０は、適合する鍵を鍵穴７１ａに挿入することにより、内筒７１を外筒７２に対して回転させることができるようになっている。本実施形態では、非常鍵が、鍵穴７１ａに適合する鍵であるとする。【００６８】
内筒７１は、剛性を確保するために、金属を略円柱状に形成したものである。内筒７１の一端には、つば７１ｂが設けられている。鍵穴７１ａは、つば７１ｂが設けられた端面から内筒７１の軸線方向に沿って内筒７１に開設されている。図８に示すように、つば７１ｂには、一対の装着凹部７１ｃ、７１ｃが鍵穴７１ａを挟んで対称位置に形成されている。各装着凹部７１ｃ，７１ｃには、電子キー１９Ａの端子板３，４に接触して接触式ＩＣタグ５からデータを読み取るデータ読み取り基板７５（「データ読取手段」の一例）が接着剤などでそれぞれ固定されている。【００６９】
また、図９に示すように、つば７１ｂの鍵穴７１ａの周りには、一対の係止溝７１ｄ，７１ｄが、装着凹部７１ｃ，７１ｃから９０度ずれた位置に、鍵穴７１ａを挟んで対称位置に形成されている。係止溝７１ｄ，７１ｄは、鍵穴７１ａと同一幅で形成されている。係止溝７１ｄ，７１ｄは、奥側の内壁が、鍵穴７１ａに挿入された電子キー１９Ａのストッパ部８１ｄ，８１ｅを突き当てられて係止し、端子板３，４をデータ読み取り基板７５，７５に軸線方向に位置決めする。【００７０】
図８及び図９に示すように、内筒７１の外周面には、環状溝７１ｅが形成されている。そして、内筒７１の後端面には、ネジ孔７１ｆが形成され、ロックプレート６２がネジ孔７１ｆに締結するネジ６５によって固定されている。【００７１】
外筒７２は、内筒７１より径が大きい円柱形状をなす。外筒７２は、中空孔７２ａが軸線方向に貫通して形成されている。中空孔７２ａは、内筒７１を摺動可能に装填され、内筒７１と外筒７２を径方向で位置決めする。外筒７２の一端外周面には、つば７２ｂが外向きに突出して設けられている。つば７２ｂの端面には、中空孔７２ａと同軸上に、位置決め凹部７２ｃが円形状に設けられている。位置決め凹部７２ｃは、中空孔７２ａに挿通された内筒７１のつば７１ｂを収納し、内筒７１を外筒７２に対して軸方向で位置決めする。外筒７２に対して位置決めされた内筒７１は、環状溝７１ｅにＣリング６６が装着され、外筒７２から脱落するのを防止されている。外筒７２は、ベアリング８０を介して取付板７３に取り付けられ、取付板７３に回転可能に保持されている。【００７２】
更に、つば７２ｂには、内筒７１の鍵穴７１ａに挿入した電子キー１９Ａのストッパ部８１ｅ（８１ｄ）が嵌合する嵌合溝７２ｄが形成されている。従って、電子キー１９Ａを鍵穴７１ａに挿入すると、ストッパ部８１ｅ（８１ｄ）が、内筒７１の係止溝７１ｄと嵌合溝７２ｄに嵌合し、内筒７１と外筒７２を一体的に回転させることが可能になる。【００７３】
図８に示すように、外筒７２の外周面には、ソレノイド７６（「解錠許可手段」、「回転阻止手段」の一例）のロッド７７に係合する回転阻止孔７２ｅが形成されている。ソレノイド７６は、ケーシング７９が外周面に取り付けられてる。ソレノイド７６は、ロッド７７を外筒７２側に向けるように外筒７２の側方に配置され、ケーシング７９を取付板７３にネジ止めすることにより、取付板７３に位置決め固定されている。ロッド７７は、圧縮ばね７８により、ソレノイド７６から突出する方向の力を常時付与されている。【００７４】
＜鍵付保管庫の制御構成＞
図１１は、鍵付保管庫の制御ブロック図である。
錠前制御手段４０には、各収納ボックスに付設された全ての錠前７０Ａ，７０Ｂ，７０Ｃ…のデータ読み取り基板７５Ａ，７５Ｂ，７５Ｃ…、ソレノイド７６Ａ，７６Ｂ，７６Ｃ…、ＬＥＤ６４Ａ，６４Ｂ，６４Ｃが配線により接続されている。【００７５】
＜動作説明＞
次に、第２実施形態に係る鍵付保管庫の作用について説明する。
電子キー１９Ａは、各使用者に配布されている。各電子キー１９Ａは、接触式ＩＣタグ５に「アクセス権」を記憶している。ここで、「アクセス権」とは、当該電子キー１９Ａを所持する使用者が、収納ボックスを開閉して内部にアクセスできる権利をいう。接触式ＩＣタグ５に記憶される「アクセス権」は、１個に限らず、複数個であっても良いことは言うまでもない。【００７６】
使用者は、所持する電子キー１９Ａを開けたい収納ボックスの鍵穴７１ａに差し込む。このとき、使用者は、電子キー１９Ａのストッパ部８１ｄ，８１ｅが錠前７０の係止溝７１ｄ，７１ｄに突き当たって係止されるまで、電子キー１９Ａを鍵穴７１ａに差し込む。すると、電子キー１９Ａは、端子板３，４がデータ読み取り基板７５，７５に接触する。データ読み取り基板７５，７５は、端子板３，４に電流を流し、接触式ＩＣタグ５に記憶されているアクセス権等のデータを読み取る。【００７７】
データ読み取り基板７５，７５が、端子板３，４に電流を流して接触式ＩＣタグ５のデータを読み取る間、端子板３，４の間で接触式ＩＣタグ５と並列に接続されたＬＥＤ８４にも、電流が流れる。よって、ＬＥＤ８４は、端子板３，４に流れる電流を利用して、点灯する。このため、使用者は、ＬＥＤ８４の点滅状態から、接触式ＩＣタグ５のデータがデータ読み取り基板７５，７５に読み取られているか否かを確認できる。換言すれば、使用者は、鍵穴７１ａに挿入した電子キー１９ＡのＬＥＤ８４が点灯しないことによって、端子板３，４がデータ読み取り基板７５，７５に正常に接触せず、接触式ＩＣタグ５のデータを読み取れない読み取り不良を簡単に目視できる。【００７８】
錠前制御手段４０は、データ読み取り端子７５，７５が読み取ったアクセス権をＲＡＭ４２に記憶されてるデータに照合し、権限認証を行う。権限が正当であると判断した場合には、ソレノイド７６に通電して、圧縮ばね７８に抗してロッド７７をソレノイド７６内に引き込む。ロッド７７は、外筒７２の回転阻止孔７２ｅから外れる。これにより、外筒７２は、ロックが解除され、回転することが可能になる。錠前制御手段４０は、ソレノイド７６に通電すると同時に、ＬＥＤ６４に電流を流し、ＬＥＤ６４を点灯させる。よって、ユーザは、ＬＥＤ６４の点滅状態によって、錠前７０を解錠できるか否かを知ることができる。【００７９】
使用者は、ＬＥＤ６４の点灯後、電子キー１９Ａを回転させる。電子キー１９Ａは、ストッパ部８１ｅが内筒７１の係止溝７１ｄと外筒７２の嵌合溝７２ｄに嵌合している。そのため、電子キー１９Ａを回転させると、内筒７１と外筒７２とが一体的に回転する。ロックプレート６２は、内筒６１と一体的に回転し、施錠位置から解錠位置へ移動する。これにより、ロックプレート６２がストライク６３から外れ、開閉扉６１Ａ，６１Ｂを開くことができるようになる。【００８０】
一方、錠前制御手段４０は、データ読み取り基板７５が読み取ったデータに基づいて権限認証した結果、権限が正当でないと判断した場合には、ソレノイド７６に通電しない。そのため、ソレノイド７６は、圧縮ばね７８の付勢力によりロッド７７をソレノイド７６から突き出し、外筒７２の回転阻止孔７２ｅに係合させ続け、外筒７２の回転を阻止する。電子キー１９Ａは、挿入部２１が鍵穴７１ａに適合する形状でないため、内筒７１が外筒７２に対して回転できない。【００８１】
よって、例えば、使用者が、アクセス権がない収納ボックスの錠前７０に誤って電子キー１９Ａを挿入した場合には、正当な権限が認証されず、使用者は電子キー１９Ａを回転させて錠前７０を解錠することができない。この結果、使用者は、アクセス権がない収納ボックスを勝手に開閉することができず、鍵付保管庫６０のセキュリティを高めることができる。【００８２】
使用者は、開閉扉６１Ａ，６１Ｂを開いて所望の資料等にアクセスした後、開閉扉６１Ａ，６１Ｂを閉じる。そして、使用者は、電子キー１９Ａを逆方向に回転させて元の状態に戻し、ロックプレート６２を解錠位置から施錠位置に移動させる。これにより、ロックプレート６２がストライク６２に係合して開閉扉６１Ａ，６１Ｂを施錠する。錠前制御手段４０は、図示しないリミットスイッチなどでロックプレート６２が解錠位置から施錠位置に移動して施錠したことを検出し、ＬＥＤ６４を消灯させる。使用者は、ＬＥＤ６４が消灯したことによって、開閉扉６１Ａ，６１Ｂが施錠されたことを確認し、電子キー１９Ａを鍵穴７１ａから抜き取る。【００８３】
錠前制御手段４０は、データ読み取り基板７５が接触式ＩＣタグ５からデータを読み取らなくなると、電子キー１９Ａが抜き取られたと判断し、使用者が錠前７０を解錠した解錠時間、施錠した施錠時間、使用者に各々付与された個人ＩＤ、使用された電子キー１９Ａを識別する識別番号などをＲＡＭ４２に記憶させる。尚、これらのデータは、パソコン４４にも記憶される。よって、ＲＡＭ４２又はパソコン４４に記憶されている利用履歴を参照すれば、誰がどの収納ボックスをいつ解錠して開き、いつ閉じて施錠したかを把握できる。【００８４】
ここで、使用者は、開閉扉６１Ａ，６１Ｂを開いたまま電子キー１９Ａを鍵穴７１ａから抜き取ると、鍵付保管庫６０に保管されている保管物が紛失等した場合に、ＲＡＭ４２に記憶されている利用履歴に基づいて責任を追及される。そのため、使用者は、責任追及を免れるために、開けた開閉扉６１Ａ，６１Ｂを閉じて、確実に施錠することが習慣付けられ、鍵付保管庫６０のセキュリティが必然的に高められる。【００８５】
また、本実施形態では、非接触式ＩＣタグは、電波の緩衝等により読み取り不良を生じる恐れがあるため、接触式ＩＣタグ５を採用する。一般的に、接触式ＩＣタグ５は、端子板３，４が油膜等で汚れると、データ読み取り基板７５，７５に正常に接触せず、データが読み取られないことを懸念される。データ読み取り不良を生じると、錠前制御手段４０が、施錠又は解錠を認識せず、施錠や解錠を管理するシステムの信頼性を大きく損なう。しかし、第２実施形態の電子キー１９Ａは、ＬＥＤ８４の点滅状態によって、データ読み取り基板７５，７５が端子板３，４が正常に接触して接触式ＩＣタグ５のデータを読み取ったか否かを確認できるようにしている。使用者は、保管物の盗難や紛失等に対する責任を免れるために、ＬＥＤ８４を点灯させるように電子キー１９Ａを錠前７０の鍵穴７１ａに差し込み、施錠と解錠を行う。よって、鍵付保管庫６０は、接触式ＩＣタグ５のデータの読み取り不良が使用者によって必然的に改善され、施錠や解錠を管理するシステムの信頼性を飛躍的に向上させることができる。【００８６】
尚、第２実施形態の鍵付保管庫は、例えば停電などの非常事態が生じると、パソコン４４や、錠前制御手段４０、ソレノイド７６が稼働しなくなるため、電子キー１９Ａを用いて錠前７０を解錠し、収納ボックスを開閉することができない。このような非常事態には、電子キー１９Ａに変えて、メカニカルな非常鍵を鍵穴７１ａに差し込む。非常鍵は、外筒７２の嵌合溝７２ｄに嵌合せず、鍵穴７１ａに適合する形状であれば、非常鍵を回転させることができる。この場合には、内筒７１が外筒７２に対して回転し、ロックプレート６２を施錠位置から解錠位置に移動させ、開閉扉６１Ａ，６１Ｂを開閉できるようになる。【００８７】
一方、非常鍵が鍵穴７１ａに適合しない場合には、内筒７１が外筒７２に対して回転せず、さらに外筒７２がソレノイド７６のロッド７７に回転阻止孔７２ｅを係合させ、回転を阻止されているため、使用者は非常鍵を回転させることができない。よって、ロックプレート６２が施錠位置から解錠位置に移動せず、使用者は、開閉扉６１Ａ，６１Ｂを開閉できない。【００８８】
＜第２実施形態に係る鍵付保管庫の作用効果＞
第２実施形態に係る鍵付保管庫６０は、データ読取基板７５，７５が電子キー１９Ａの接触式ＩＣタグ５から読み取ったアクセス権に基づいて権限認証し、権限が正当であると判断した場合に、当該アクセス権に対応する収納ボックス６０Ａの開閉を許可する。【００８９】
つまり、各収納ボックス６０Ａ，６０Ｂ，６０Ｃ…は、ロックプレート６２を施錠位置に配置して施錠されている。データ読取手段７５，７５が電子キー１９Ａから読み取ったアクセス権に基づいて権限認証し、権限が正当であると判断すると、アクセス権に対応するロックプレート６２を施錠位置から解錠位置に移動させることを許可する。これにより、ロックプレート６２を施錠位置から解錠位置に移動させて、アクセス権が認証された収納ボックスを開閉して内部にアクセスすることが可能になる。【００９０】
この場合、各収納ボックス６０Ａ，６０Ｂ，６０Ｃ…に錠前７０Ａ，７０Ｂ，７０Ｃ…を設け、錠前７０Ａ，７０Ｂ，７０Ｃの外筒７２Ａ，７２Ｂ，７２Ｃ…に回転可能に配置された内筒７１Ａ，７１Ｂ，７１Ｃ…にロックプレート６２Ａ，６２Ｂ，６２Ｃ…を連結し、内筒７１Ａ，７１Ｂ，７１Ｃ…の回転によりロックプレート６２Ａ，６２Ｂ，６２Ｃを施錠位置と解錠位置に移動できるようにする。これにより、内筒７１Ａ，７１Ｂ，７１Ｃ…の回転を阻止すれば、ロックプレート６２Ａ，６２Ｂ，６２Ｃ…が施錠位置から移動することを制限し、一方、内筒７１Ａ，７１Ｂ，７１Ｃ…の回転阻止状態を解除すれば、ロックプレート６２Ａ，６２Ｂ，６２Ｃ…が施錠位置から解錠位置に移動できるようになる。【００９１】
第２実施形態では、外筒７２Ａ，７２Ｂ，７２Ｃ…が収納ボックス６０Ａ，６０Ｂ，６０Ｃ…の開口部を遮蔽する開閉扉６１Ｂなどの遮蔽板に回転可能に保持されおり、ソレノイド７６Ａ，７６Ｂ，７６Ｃ…のロッド７７Ａ，７７Ｂ，７７Ｃ…を外筒７２Ａ，７２Ｂ，７２Ｃ…の回転防止孔７２ｅに係合させ、外筒７２Ａ，７２Ｂ，７２Ｃ…の回転をそれぞれ阻止している。錠前７０Ａ，７０Ｂ，７０Ｃ…は、適合する鍵（非常鍵）を内筒７１Ａ，７１Ｂ，７１Ｃ…の鍵穴７１ａに挿入しない限り、内筒７１Ａ，７１Ｂ，７１Ｃ…が外筒７２Ａ，７２Ｂ，７２Ｃ…に対して回転しない。そのため、外筒７２Ａ，７２Ｂ，７２Ｃ…の回転が阻止される間は、内筒７１Ａ，７１Ｂ，７１Ｃ…を回転させることができない。この場合、データ読取手段７５Ａ，７５Ａ，７５Ｂ，７５Ｂ，７５Ｃ，７５Ｃ…が電子キー１９Ａから読み取ったアクセス権に基づいて権限が正当であると判断すると、アクセス権に対応するソレノイド７６に通電してロッド７７をソレノイド７６側に引き込み、ロッド７７を回転阻止孔７２ｅから外すことにより、外筒７２の回転阻止状態を解除するので、外筒７２の嵌合溝７２ｄに嵌合させるように鍵穴７１ａに差し込んだ電子キー１９Ａを回転させれば、内筒７１を外筒７２と一体的に回転させることができる。これにより、ロックプレート６２を施錠位置から解錠位置に移動させ、収納ボックス６０Ａを開閉できるようになる。【００９２】
従って、オフィス内の全ての保管庫に第２実施形態の鍵付保管庫６０を採用すれば、同じ１つの電子キー１９Ａを所持しているだけで、オフィス内の全ての保管庫の全ての収納ボックスに対して、その人が正当な権限を有していれば、収納ボックスを開閉して、収納ボックス内の書類にアクセスすることができる。複数の人が利用しても、電子キー１９Ａに内蔵された接触式ＩＣタグ５により、個人の認証を行い、その認証したデータに基づいて、その収納ボックスへのアクセス権を確認して、収納ボックスの開閉可能状態を制御しているため、アクセス権のない人による開閉を防止しつつ、利用者は、１つの電子キー１９Ａで必要とする多数の収納ボックスを開閉することができる。【００９３】
また、錠前７０の鍵穴７１ａに差し込んだ電子キー１９Ａを回転させて外筒７２と内筒７１を一体的に回転させ、解錠を人の力で行うため、電気錠を必要とせずに、コストを低く抑えることができる。そして、電子キー１９Ａの挿入部２１の形状は、全ての電子キーが同じ直方体形状をしているので、全ての電子キー１９Ａが全ての錠前７０に合致するため、どの電子キー１９Ａでも全ての錠前７０を回転させることができる。ただし、全ての錠前７０には、外筒７２の回転を阻止するソレノイド７６が付設されているので、ソレノイド７６のロッド７７が外筒７２の回転防止孔７２ｅから外れて外筒７６の回転阻止状態を解除しているときにのみ、収納ボックスを開くことができる。【００９４】
電子キー１９Ａの把持部２２に内蔵された接触式ＩＣタグ５の情報が、電子キー１９Ａの挿入部２１を鍵穴７１ａに挿入したときに端子板３，４に接触するデータ読取基板７５，７５により読み取られ、データ読取手段７５，７５が読み取ったデータに基づいて当該データ読取基板７５，７５が設けられた収納ボックスの権限認証を行い、権限が正当である判断したときに、錠前制御手段４０が、データを読み取ったデータ読取基板７５，７５に対応するソレノイド７６に外筒７２の回転阻止状態を解除させ、内筒７１を外筒７２と一体的に回転できるようにする。【００９５】
電子キー１９Ａは、把持部２２内に接触式ＩＣタグ５が内蔵され、挿入部２１に接触式ＩＣタグ５の端子板３，４が配置されているので、接触式ＩＣタグ５の保護が図れると共に、データ読取基板７５，７５を、錠前７０の内部に設置することができるため、データ読取基板を外部から触ることができず、いたずらされることがない。【００９６】
また、錠前制御手段４０が、収納ボックス毎に開閉の履歴を記憶するので、全てのアクセスを記録に残すことが可能であり、全ての保管庫の全ての収納ボックスに対して、開閉の履歴を残すことができる。【００９７】
また、錠前７０が、既存の錠前と交換可能であるので、既存の保管庫の錠前部分のみ交換すれば良いため、低いコストで第２実施形態の鍵付保管庫を採用することができる。特に、錠前７０は、ユニット化されているので、後付けを容易に行うことができる。
また、電子キー１９Ａのアクセス権に基づいて権限が正当であると判断した場合に、電子信号によりソレノイド７６を駆動して、ロックプレート６２が施錠位置から解錠位置に移動することを許可するので、ロックプレート６２のロックを簡単に解除することができる。【００９８】
また、錠前制御手段４０に権限認証を行うためのデータを記憶させることにより、鍵付保管庫６０をネットワークなどで上位装置に接続しなくても、権限認証を行うことが可能になるので、鍵付保管庫６０を上位装置に接続する配線工事の手間や時間などを省き、鍵付保管庫の設置コストを安価にできる。尚、ネットワークを介して錠前制御手段４０を別に設置された認証手段に接続し、その認証装置に記憶されたデータに基づいて権限認証するようにすれば、権限認証を行うためのデータの破損を防止できる。【００９９】
ところで、例えば停電等の非常時には、データ読取基板７５、７５が電子キー１９Ａからアクセス権を読み取れなくなり、電子キー１９Ａを用いて収納ボックスを開閉できなくなることがある。この場合でも、適合する非常鍵を錠前７０の鍵穴７１ａに差し込めば、内筒７１を回転させてロックプレート６２を施錠位置から解錠位置に移動させて、収納ボックスを開閉することができる。尚、非常鍵は、鍵穴７１ａに差し込んだときに嵌合溝７２ｄに嵌合されないため、内筒７１のみを回転させることができる。【０１００】
［第３実施形態］
続いて、本発明の第３実施形態について図面を参照して説明する。図１２は、本発明の第３実施形態に係り、鍵付保管庫９０の要部拡大断面図であって、カバー閉状態を示す。図１３は、鍵付保管庫９０の要部拡大断面図であって、カバー開状態を示す。尚、図１２及び図１３に示す錠前１００（「開閉許可手段」、「移動手段」の一例）は、第２実施形態と同様に内筒７２にロックプレート６２が連結してロックプレート６２をストライク６３に係合させることにより施錠を行うが（図７参照）、図面を見やすくするためにロックプレート６２とストライク６３の記載を省略する。
第３実施形態の鍵付保管庫９０は、開閉レバー９４を覆うカバー９８により開閉扉９２の開閉を許可する点が、上記第２実施形態と主に相違する。よって、ここでは、第２実施形態と相違する点を中心に説明し、第２実施形態と共通する点は、図面に同一符号を付し、説明を適宜省略する。【０１０１】
＜鍵付保管庫の構成＞
第３実施形態の鍵付保管庫９０は、本体９１に設けた複数の収納ボックスの開口部に開閉扉９２を片開き方式で回動可能に取り付けたロッカーである。開閉扉９２には、凹部９２ａが形成されている。凹部９２ａには、開閉レバー９４がヒンジ９５を介して回動可能に取り付けられてる。開閉レバー９４には、本体９１に設けたストライク９１ａに係合するラッチ部材９３が連結している。ラッチ部材９３は、図示しないスプリングによって、開閉扉９２から突き出す方向に付勢されており、ヒンジ９５を基点として開閉レバー９４を開閉扉９２から持ち上げる方向に回転させると、図示しないスプリングに抗して開閉扉９２内に引き込まれるように構成されている。【０１０２】
＜カバーの構成＞
凹部９２ａには、カバー９８がスライド可能に設けられている。カバー９８は、金属板や、透明のプラスチック等で形成されている。開閉扉９２の裏側には、モータ９６がネジ等で固定されている。モータ９６は、カバー９８のスライド方向に沿って駆動軸９７を直線往復運動させるように、配置されている。駆動軸９７は、モータ９６が所定方向に回転すると、モータ９６内に引き込まれ、モータ９６が所定方向と逆方向に回転するモータ９６から突出するように、モータ９６に装填されている。駆動軸９７の先端部には、カバー９８が固設されている。【０１０３】
カバー９８は、モータ９６によって、図１２に示すように、開閉レバー９４を覆って開閉レバー９４の回動を阻止し、開閉扉９２の開閉を阻止する被覆位置と、図１３に示すように、開閉レバー９４を外部に開放して開閉レバー９４の回動を許容し、開閉扉９２の開閉を許可する開放位置とに配置される。
尚、カバー９８とモータ９６は、「開閉許可手段」を構成する。【０１０４】
＜錠前の構成＞
開閉レバー９４の下側には、錠前１００が取り付けられている。錠前１００は、外筒１０１が開閉扉９２に固定され、回転しない点を除き、第２実施形態の錠前７０と同様の構成を有する。内筒７１は、カバー９８に連結する図示しない連結部材が後端面にネジ止めされ、外筒１０１に対して回転されると、図示しない連結部材を介してカバー９８をスライドさせるように構成されている。【０１０５】
＜鍵付保管庫の制御構成＞
図１４は、鍵付保管庫の制御の構成を示すブロック図である。
カバー開閉制御手段１０２には、鍵付保管庫の各収納ボックスに付設した全ての錠前１００Ａ，１００Ｂ，１００Ｃ…のデータ読み取り基板７５Ａ，７５Ｂ，７５Ｃ…、モータ９６Ａ，９６Ｂ，９６Ｃ…、ＬＥＤ６４Ａ，６４Ｂ，６４Ｃ…が配線で接続されている。カバー開閉制御手段１０２は、モータ９６Ａ，９６Ｂ，９６Ｃ…に出力する駆動信号によって、モータ９６Ａ，９６Ｂ，９６Ｃ…の回転量や回転方向を制御し、カバー９８の位置決めを行う。【０１０６】
＜動作説明＞
第３実施形態の鍵付保管庫９０は、使用者が電子キー１９Ａを鍵穴７１ａに差し込むと、カバー開閉制御手段１０２が、データ読み取り基板７５が接触式ＩＣタグ５から読み取ったアクセス権に基づいて、権限が正当であるか否かを判断する。カバー開閉制御手段１０２は、権限が正当であると判断すると、モータ９６に駆動信号を出力する。【０１０７】
モータ９６は、駆動信号を入力すると、図１３に示すように駆動軸９７を引き込み、カバー９８を開放位置へスライドさせる。これにより、開閉レバー９４が、外部に露出するので、使用者は、ヒンジ９５を基点に開閉レバー９４を引き上げて回動させることにより、ラッチ部材９３とストライク９１ａとの係合を解除させ、開閉扉９２を開くことができる。【０１０８】
その後、使用者が、ラッチ部材９３をストライク９１ａに係合させるように開閉扉９２を閉じ、電子キー１９Ａを鍵穴７１ａから抜き取ると、カバー開閉制御手段１０２は、モータ９６に駆動信号を出力する。モータ９６は、駆動信号を入力すると、駆動軸９７をカバー９８に近づける方向に移動させ、カバー９８を被覆位置に配置する。これにより、開閉レバー９４がカバー９８に覆われ、使用者は、開閉レバー９４に指をかけて開閉レバー９４を回動させることができなくなる。すなわち、使用者は、開閉扉９２を開くことができなくなる。【０１０９】
尚、カバー開閉制御手段１０２は、電子キー１９Ａが鍵穴７１ａから抜き取られると、当該収納ボックスの利用履歴（解錠時間、施錠時間、使用者の個人ＩＤ、電子キー１９Ａの識別番号など）をＲＡＭ４２に記憶する。【０１１０】
一方、カバー開閉制御手段１０２は、電子キー１９Ａに記憶されたアクセス権に基づいて、権限が正当でないと判断した場合には、モータ９６に駆動信号を与えず、カバー９８を被覆位置に配置したままにする。そのため、使用者は、開閉レバー９４を操作して開閉扉９２を開くことができない。【０１１１】
ところで、停電等の非常時には、非常鍵を鍵穴７１ａに挿入し、内筒７１を外筒１０１に対して回転させれば、カバー９８を開放位置へ移動させ、開閉レバー９４を操作することができるようになる。【０１１２】
＜第３実施形態に係る鍵付保管庫の作用効果＞
従って、第３実施形態に係る鍵付保管庫９０は、開閉レバー９４をカバー９８で覆って開閉レバー９４の操作を制限し、収納ボックスを開閉できないようにする。そして、データ読取基板７５，７５が電子キー１９Ａから読み取ったアクセス権に基づいて権限が正当であると判断したときに、被覆位置から開放位置にカバー９８を移動できるようにする。これにより、カバー９８を開放位置に移動させて開閉レバー９４を操作し、収納ボックスを開閉できるようになる。【０１１３】
これにより、オフィス内の全ての保管庫に第３実施形態の保管庫９０を採用すれば、同じ１つの電子キー１９Ａを所持しているだけで、オフィス内の全ての保管庫の全ての収納ボックスに対して、その人が正当な権限を有していれば、収納ボックスを開閉して、収納ボックス内の書類にアクセスすることができる。複数の人が利用しても、電子キー１９Ａに内蔵された接触式ＩＣタグ５により、個人の認証を行い、その認証したデータに基づいて、その収納ボックスへのアクセス権を確認して、収納ボックスの開閉可能状態を制御しているため、アクセス権のない人による開閉を防止しつつ、利用者は、１つの電子キー１９Ａで必要とする多数の収納ボックスを開閉することができる。【０１１４】
電子キー１９Ａは、把持部２２に内蔵された接触式ＩＣタグ５の情報が、挿入部２１を鍵穴７１ａに挿入したときに端子板３，４に接触するデータ読取基板７５、７５により読み取られ、データ読取基板７５，７５が読み取ったデータに基づいてデータ読取基板７５，７５が設けられた収納ボックスの権限認証を行い、権限が正当である判断したときに、カバー開閉制御手段１０２が、カバー９８の移動を可能にさせる。【０１１５】
また、鍵付保管庫９０は、収納ボックス毎に開閉の履歴を記憶する記憶手段を有するので、全てのアクセスを記録に残すことが可能であり、全ての保管庫の全ての収納ボックスに対して、開閉の履歴を残すことができる。【０１１６】
また、カバー開閉制御手段１０２に権限認証を行うためのデータを記憶させることにより、鍵付保管庫９０をネットワークなどで上位装置に接続しなくても、権限認証を行うことが可能になるので、鍵付保管庫９０を上位装置に接続する配線工事の手間や時間などを省き、鍵付保管庫の設置コストを安価にできる。一方、ネットワークを介してカバー開閉制御手段１０２を別に設置された認証手段に接続し、その認証装置に記憶されたデータに基づいて権限認証するようにすれば、権限認証を行うためのデータの破損を防止できる。【０１１７】
ところで、例えば停電等の非常時には、データ読取基板７５，７５が電子キー１９Ａからアクセス権を読み取れなくなり、電子キー１９Ａを用いて収納ボックスを開閉できなくなることがある。この場合でも、適合する非常鍵を錠前１００の鍵穴７１ａに差し込めば、内筒７１を回転させてカバー９８を被覆位置から開放位置に移動させ、収納ボックスを開閉できるようになる。  【０１１８】
更に、錠前１００は、内筒７１に連結するロックプレート６２（図７参照）により開閉扉９２を施錠し、内筒７１を回転させることにより、開閉扉９２を解錠する。よって、鍵付保管庫９０は、ロックプレート６２（図７参照）とカバー９８により収納ボックスの開閉を２重に制限するので、セキュリティレベルが高い。【０１１９】
［第４実施形態］
続いて、本発明の第４実施形態について図面を参照して説明する。図１５は、本発明の第４実施形態に係り、鍵付保管庫１１５の一部拡大正面図である。
第４実施形態の鍵付保管庫１１５は、ロックプレート１２０（「ロック手段」の一例）を自動で回動させる点で、第２実施形態と相違する。よって、ここでは、第２実施形態と相違する点を中心に説明し、第２実施形態と共通する点は、図面に第２実施形態と同一符号を付し、説明を適宜省略する。【０１２０】
＜錠前の構成＞
錠前１１０（「開閉許可手段」、「移動手段」の一例）は、外筒１１１が開閉扉６１Ｂに固定され、回転しない。外筒１１１には、内筒７１が回転可能に保持されている。錠前１１０は、ロックプレート１２０に連結される図示しない連結部材が、内筒７１の後端面にネジ止めされ、内筒７１を回転させることによりロックプレート１２０を回動させられるようになっている。【０１２１】
ロックプレート１２０は、ガイド溝１２０ａが形成されている。ガイド溝１２０ａには、作動軸１２１に立設したピン１２２が摺動可能に挿通されている。作動軸１２１の上端部には、ラック部１２１ａが形成され、モータ１２３（「移動手段」、「回転阻止手段」の一例）の回転軸１２４に連結するピニオン１２５が連結されている。【０１２２】
＜鍵付保管庫の制御構成＞
図１６は、鍵付保管庫の制御の構成を示すブロック図である。
錠前制御手段４０には、鍵付保管庫の各収納ボックスに付設された全ての錠前１１０Ａ，１１０Ｂ，１１０Ｃのデータ読み取り基板７５Ａ，７５Ｂ，７５Ｃ…、モータ１２３Ａ，１２３Ｂ，１２３Ｃ…、ＬＥＤ６４Ａ，６４Ｂ，６４Ｃ…が配線で接続されている。錠前制御手段４０は、モータ１２３Ａ，１２３Ｂ，１２３Ｃ…に回転量や回転方向を制御する駆動信号を出力し、ロックプレート１２０を位置決めする。【０１２３】
＜動作説明＞
第４実施形態の鍵付保管庫１１５は、錠前制御手段４０が、鍵穴７１ａに差し込まれた電子キー１９Ａからデータ読み取り基板７５が読み取ったアクセス権に基づいて、正当な権限を認証すると、モータ１２３に駆動信号を出力する。駆動信号を入力したモータ１２３は、回転軸１２４を所定方向に回転する。回転軸１２４は、ラック部１２１ａに噛合するピニオン１２５と一体的に回転し、作動軸１２１を図中下向きに移動させる。作動軸１２１は、ピン１２２を介してロックプレート１２０を図中時計回りに回転させ、ロックプレート１２０を解錠位置に回動させる。これにより、ロックプレート１２０がストライク９１ａとの係合状態を解除し、開閉扉６１Ａ，６１Ｂの開閉を許可する。【０１２４】
使用者が開閉扉６１Ａ，６１Ｂを閉じ、電子キー１９Ａを鍵穴７１ａから抜き取ると、錠前制御手段４０は、モータ１２３に駆動信号を出力する。モータ１２３は、駆動信号を入力すると、回転軸１２４を所定方向と逆方向に回転させる。ピニオン１２５は、回転軸１２４と一体的に回転し、ラック部１２１ａを介して作動軸１２１を図中上向きに移動させる。作動軸１２１は、ピン１２２を介してロックプレート１２０を図中反時計回りに回動させ、施錠位置に配置する。これにより、ロックプレート１２０は、ストライク６３と係合し、開閉扉６１Ａ，６１Ｂの開閉を制限する。【０１２５】
ところで、停電等の非常時であっても、鍵穴７１ａに適合する非常鍵を鍵穴７１ａに差し込むと、内筒７１を外筒１１１に対して回転させることができる。内筒７１は、図示しない連結部材を介してロックプレート１２０を回転させ、ロックプレート１２０を施錠位置と解錠位置との間で移動させることができる。【０１２６】
＜第４実施形態に係る鍵付保管庫の作用効果＞
第４実施形態に係る鍵付保管庫１１５は、ロックプレート１２０のガイド溝１２０ａの上端部に作動軸１２１のピン１２２を嵌合させ、ロックプレート１２０をストライク６３に係合させて開閉扉６１Ｂを施錠する施錠位置に配置している。モータ１２３が所定方向に回転すると、その回転力は、ピニオン１２５からラック部１２１ａに伝達するときに推力に変換され、作動軸１２１を下向きに移動させる。作動軸１２１の下降に伴い、ピン１２２がガイド溝１２０ａに沿って下端部側に摺動し、ロックプレート１２０を立てるように回動させる。やがて、ロックプレート１２０は、ストライク６３から外れ、解錠位置に配置される。そして、モータ１２３が所定方向と逆方向に回転すると、上記と逆の方法で、作動軸１２１が上向きに移動し始める。作動軸１２１の上昇にもとなって、ピン１２２がガイド溝１２０ａの下端部から上端部に向かって移動し、ロックプレート１２０を横向きに倒すように回動させる。やがて、ロックプレート１２０は、ストライク６３に係合し、開閉扉６１Ｂを施錠する。【０１２７】
このように、第３実施形態の鍵付保管庫１１５は、モータ１２３の駆動力を用いてロックプレート１２０を施錠位置で直接係止する。そのため、データ読取基板７５，７５が電子キー１９Ａから読み取ったアクセス権に基づいて権限が正当であると判断したときに、アクセス権に対応するモータ１２３に所定方向に回転する駆動信号を出力し、ロックプレート１２０の係止状態を解除する。これにより、ロックプレートを施錠位置から解錠位置に自動的に移動させ、収納ボックスを開閉できるようになる。【０１２８】
鍵付保管庫１１５は、モータ１２３の力で施錠と解錠を行うので、利用者が電子キー１９Ａを回さなくても収納ボックスを解錠することができ、便利である。また、錠前１１０は、モータ１２３の力で内筒７１が回転するので、内筒７１や外筒１１１に余分な力がかからず、破損しにくい。【０１２９】
なお、この発明は前記各実施形態に限定されるものではなく、発明の趣旨を逸脱することのない範囲で構成の一部を適宜変更して以下のように実施することもできる。
例えば、本実施例では、接触式ＩＣタグを使用しているが、無線式ＩＣタグを利用しても良い。ただし、無線式ＩＣタグでは、近い範囲で多数の無線ＩＣタグを使用すると混線の問題が発生する。接触式ＩＣタグは、混線が発生しない点で優れている。無線式ＩＣタグを使用する場合には、スイッチなどで収納ボックスの施錠と解錠を行うようにすると良い。この場合、収納ボックスを閉じた後から数秒間経過しても施錠スイッチが押下されない場合には、ブザー音やメッセージなどを警報手段から発して、電子キーの抜き忘れを使用者に知らせるようにしても良い。
また、例えば、本実施例では、錠前制御手段４０内部のＲＡＭ４２に権限認証するためのデータが記憶されているが、権限認証するためのデータを、錠前制御手段とネットワークで接続させたパソコン４４に記憶させても良い。また、錠前制御手段４０とパソコン４４の両方に権限認証のためのデータを記憶しても良い。
通常、権限認証のデータは、パソコン４４で書き換えられるので、パソコン４４のデータが最新であり、それにより管理すると良い。一方、パソコン４４がダウンしているときに、鍵付保管庫内の資料が全く閲覧できないのは問題であり、その場合には、錠前制御手段４０に権限データを持っていれば、閲覧可能とすることができる。【０１３０】
また、例えば、本実施例では、電子キー１９をネジによる結合としているが、接着剤による結合、レーザ溶接による結合としても良い。さらに、端子板３，４をインサートして一体成形して、接触式ＩＣタグ５のみを後付しても良い。すなわち、接触式ＩＣタグ５は、熱等に弱いので、接触式ＩＣタグ５をインサート成形するのは、技術的に難しいので、図１７に示すように、後付として、接触式ＩＣタグ５を蓋６の裏面に接着した状態で、蓋を超音波溶着等で固定しても良い。図１７では、鍵基板１，２に透明な樹脂を使用しているので、端子板３，４等が透けて見える構造となっている。
また、本実施例では、当初より保管庫の収納ボックスに取り付けられた錠前を開示したが、錠前を既存の錠前と交換しても良い。
また、本実施例では、錠前制御装置４０が３つの保管庫を制御しているが、より多数の保管庫を制御させても良い。【０１３１】
また、上記実施例では、錠前７０をユニット化したが、ベアリング８０やソレノイド７６を収納ボックスに直接取り付けても良い。
また、上記４実施形態では、内筒７１にロックプレート１２０を連結したが、内筒７１とロックプレート１２０とを別個に設けても良い。この場合、鍵穴７１ａに差し込んだ電子キー７１ａを回さなくても施錠と解錠を行うことができるようになり、錠前１１０の破損をより一層防ぐことができる。
また、上記第３実施形態では、カバー９８をモータ９６で自動開閉した。これに対して、カバー９８を施錠位置で係止してカバー９８のスライドを防止するスライド防止機構を鍵付保管庫９０に設け、権限認証できた場合にスライド防止機構によるスライド防止状態を解除し、カバー９８を手動で被覆位置と解錠位置とに移動させるようにしても良い。
上記実施形態では、テンキー操作部３３に入力された暗号番号と、電子キーの接触式ＩＣタグとに基づいて二重の個人認証を行い、権限が正当である場合に限って収納ボックスの開閉を認めた。これに対して、電子キーの接触式ＩＣタグのみに基づいて権限認証を行うようにすれば、テンキー操作部３３を省いて機器コストを安くすることができる。
上記第２実施形態では、内筒７１の軸心に対して直交する方向にソレノイド７６を配置した。これに対して、内筒７１とソレノイド７６の軸心同士が平行になるようにソレノイド７６に設け、ソレノイド７６のロッド７７に係合する係合孔を備える突起を外筒７２の外周面に取り付けるようにして、外筒７２の回転を阻止するようにしても良い。これによれば、ソレノイド７６を含めた錠前の設置スペースを小さくできる。
上記第２実施形態において、電子キー１９Ａの差込部８１ｂに貫通孔や凹部等の係止部を設け、開閉扉６１Ａ，６１Ｂを開く前に電子キー１９Ａに基づいて個人認証したときに、係止部に係合して電子キー１９Ａの着脱を制限する着脱制限手段を錠前７０に設けても良い。この場合、開閉扉６１Ａ，６１Ｂが閉じている場合にのみ電子キー１９Ａを錠前７０に着脱できるので、開閉扉６１Ａ，６１Ｂが開いた状態で電子キー１９Ａが錠前７０から抜かれることがない。
【産業上の利用可能性】
【０１３２】
この発明は、オフィスで使用される鍵付保管庫に適用できる。
【図１】
2008069210.tif 000003
【図２】
2008069210.tif 000004
【図３】
2008069210.tif 000005
【図４】
2008069210.tif 000006
【図５】
2008069210.tif 000007
【図６】
2008069210.tif 000008
【図７】
2008069210.tif 000009
【図８】
2008069210.tif 000010
【図９】
2008069210.tif 000011
【図１０】
2008069210.tif 000012
【図１１】
2008069210.tif 000013
【図１２】
2008069210.tif 000014
【図１３】
2008069210.tif 000015
【図１４】
2008069210.tif 000016
【図１５】
2008069210.tif 000017
【図１６】
2008069210.tif 000018
【図１７】
2008069210.tif 000019
【国際調査報告】
2008069210.tif 000020
2008069210.tif 000021
2008069210.tif 000022
2008069210.tif 000023